(57)【要約】【課題】使用者が、便座からの立ち上がりが容易となる便座シートを提供する。【解決手段】便座シート１は、便座の座部に覆うように装着され、座部に対応する湾曲形状を有し、クッション体と、表面材と、基材とを備える便座シートにおいて、クッション体は装着時に後側となる部分が他の部分より厚く、クッション体の後側部分が他の部分より大きいな弾性を有する。厚い部分がより大きいな反発力を加わることで、使用者が便座からの立ち上がりが容易となる便座シート１を提供することができる。【選択図】図１
2020080997.tif 000002
【特許請求の範囲】
【請求項１】
便座の座部に覆うように装着され、前記座部に対応する湾曲形状を有し、クッション体と、表面材と、基材とを備える便座シートにおいて、
前記クッション体は装着時に後側となる部分が他の部分より厚くしてある便座シート。
【請求項２】
前記クッション体は、発泡合成樹脂材料製である請求項１に記載の便座シート。
【請求項３】
前記クッション体は、軟質ポリウレタンフォーム材料製である請求項２に記載の便座シート。
【請求項４】
前記クッション体は、前記便座への装着時に上向きとなる一面が凹凸状に形成されている請求項１から３のいずれか一つに記載の便座シート。
【請求項５】
前記表面材は、前記便座への装着時に上向きとなる外面に起毛層が形成された不織布である請求項１から４のいずれか一つに記載の便座シート。
【請求項６】
前記便座への装着時に前記座部に接触する前記基材の外面には、粘着層が形成されている請求項１から５のいずれか一つに記載の便座シート。
【発明の詳細な説明】
【技術分野】
【０００１】
本発明は、便座の座部に覆うように装着される便座シートに関する。
【背景技術】
【０００２】
洋式便器の便座には、着座時の触感を良好にすることを目的として、便座シート（便座カバー）が装着されることがある。近年においては、温熱、洗浄、消臭等の付加機能を有し、形態が種々に異なる便座が存在しており、これらの便座に共通して使用し得る便座シートが提案されている（例えば、特許文献１参照）。
【０００３】
特許文献１に記載の便座シートは、弓形の湾曲形状を有しており、便座への着座時に身体に接触する左右の座部を夫々覆うように装着される。該便座シートは、更に、座部に載置される基材と身体に接触する表面材との間にクッション体を介装し、表面材の触感と共にクッション体の弾性を使用者に体感させ、使用感の改善を図っている。
【先行技術文献】
【特許文献】
【０００４】
【特許文献１】特開２０１２−２１７４６４
【発明の概要】
【発明が解決しようとする課題】
【０００５】
特許文献１に記載の便座シートは、クッション体の作用により、硬質の便座に着座する際の身体的負担を和らげることができ、特に、高齢者に有用である。また、クッション体の弾性は便座からの立ち上がりを補助する作用もあるが、この補助作用は十分ではない。
【０００６】
本発明は斯かる事情に鑑みてなされたものであり、便座からの立ち上がりを良好に補助することができる便座シートを提供することを目的とする。
【課題を解決するための手段】
【０００７】
本開示の実施形態に係る便座シートは、便座の座部に覆うように装着され、前記座部に対応する湾曲形状を有し、クッション体と、表面材と、基材とを備える便座シートにおいて、前記クッション体は装着時に後側となる部分が他の部分より厚くしてある。
【０００８】
本開示の実施形態においては、クッション体は装着時に後側となる部分が他の部分より厚く、後側部分は他の部分より大きな弾性を有する。着座時クッション体の厚い部分は使用者の臀部に当って、使用者の臀部に大きな反発力を与える。使用者は臀部に加わる大きな反発力により、便座からの立ち上がりが容易となる。
【０００９】
また、前記クッション体は、発泡合成樹脂材料製である。
【００１０】
本開示の実施形態においては、クッション体は発泡合成樹脂材料製であるため、弾性力を有する。従って、使用者が便座からの立ち上がりを補助することができる。
【００１１】
また、前記クッション体は、軟質ポリウレタンフォーム材料製である。
【００１２】
本開示の実施形態においては、クッション体は軟質ポリウレタンフォーム材料製であるため、弾性力が優れる。従って、使用者が便座から立ち上がる際に、より立ち上がりやすい便座シートができる。
【００１３】
また、前記クッション体は、前記便座への装着時に上向きとなる一面が凹凸状に形成されている。
【００１４】
本開示の実施形態においては、クッション体は装着時に上向きとなる一面が凹凸状に形成されている。凹凸状になった一面が着座時にウェーブ状のようになっているため、触感が良好である。
【００１５】
また、前記表面材は、前記便座への装着時に上向きとなる外面に起毛層が形成された不織布である。
【００１６】
本開示の実施形態においては、便座への装着時に上向きとなる表面材の外面に起毛層が形成されているため、肌触りが良い便座シートができる。
【００１７】
また、前記便座への装着時に前記座部に接触する前記基材の外面には、粘着層が形成されている。
【００１８】
本開示の実施形態においては、便座への装着時に座部に接触する外面に粘着層が形成されているため、便座に置き、軽く押しつけるだけで簡単に装着できる。また、汚れた場合、座部から剥がして繰り返し洗濯して使用することができる。
【発明の効果】
【００１９】
本開示の実施形態においては、着座時使用者の臀部により大きな反発力を加わることによって、使用者が便座からの立ち上がりを補助することができる便座シートを実現することができる。
【図面の簡単な説明】
【００２０】
【図１】実施の形態１に係る便座シートの斜視図である。
【図２】実施の形態１に係る便座シートの正面図である。
【図３】実施の形態１に係る便座シートの背面図である。
【図４】図２のＩＶ−ＩＶ線による便座シートの断面拡大図である。
【図５】図２のＶ−Ｖ線による便座シートの断面拡大図である。
【図６】便座に装着される便座シートの斜視図である。
【図７】便座シートの使用状態の説明図である。
【図８】実施の形態２に係る便座シートのＶ−Ｖ線による断面拡大図である。
【図９】実施の形態２に係る便座シートと比較例１便座シートの体圧分布図である。
【図１０】実施の形態２に係る便座シートと比較例１、２便座シートの自律神経反応力変化値比較図である。
【図１１】実施の形態２に係る便座シートと比較例１、２便座シートの副交感神経反応力の変化値比較図である。
【図１２】実施の形態２に係る便座シートと比較例１、２便座シートの最高血圧の変化値比較図である。
【図１３】実施の形態２に係る便座シートと比較例１、２便座シートの最低血圧の変化値比較図である。
【発明を実施するための形態】
【００２１】
実施の形態１
以下、本発明をその実施の形態を示す図面に基づいて説明する。図１は実施の形態１に係る便座シートの斜視図、図２は実施の形態１に係る便座シートの正面図、図３は実施の形態１に係る便座シートの背面図、図４は図２のＩＶ−ＩＶ線による便座シートの断面拡大図、図５は図２のＶ−Ｖ線による便座シートの断面拡大図である。
【００２２】
これらの図に示す如く、便座シート１は、クッション体２（図４、５参照）と、表面材３と、基材４とを備え、後述の如く装着される便座の座部に対応する弓形の湾曲形状を有している。クッション体２は、発泡合成樹脂材料製であり、軟質ポリウレタンフォーム製が好ましい。
【００２３】
表面材３は、ポリエステル等の熱可塑性繊維を絡み合せたシート状の不織布であり、表面にはニードルパンチ加工により起毛層が形成してある。
【００２４】
基材４は、表面材３と同様のシート状の不織布であり、一面に粘着層４０が形成されている。粘着層４０は、例えば、粘着性を有するアクリル酸エステル共重合体及び熱可塑性繊維とよく相溶するメチルメタクリレートブタジェン共重合体のエマルジョンに充填剤を配合してなる合成樹脂材料製であり、表面に多数の微小気泡が含まれている。粘着層４０は、適宜のパターンでプリントすることで形成され、例えば、図３に示す如く縦縞模様のパターンである。他のパターンでも良い。
【００２５】
図４に示す如く、便座シート１は、粘着層４０を外向きとした基材４の内面にクッション体２を重ねて、起毛層を外向きとした表面材３でクッション体２を覆い、クッション体２の両側で重なる表面材３と基材４の周縁部をホットメルト加工により固着して構成されている。
【００２６】
図５に示す如く、クッション体２は、便座への装着時に後側となる部分が他の部分より厚く、例えば、後側部分の厚みを約30mmとし、他の部分の厚みを約20mmとして、後側厚い部分は他の部分から徐々に厚くなっていく。後側厚い部分と他の部分は段差の形状でも良い。クッション体２は、表面材３側の一面が凹凸状に形成されている。該一面が平らでも良い。凹凸状に形成される一面が連続的ウェーブ状のように形成されている。
【００２７】
図６は便座に装着される便座シート１の斜視図である。図示の便座１１は、便器１０開口縁を全面に亘って覆うＯ形の形状を有し、温熱、洗浄、消臭等の付加機能を実現する機能ボックス１２を一側部に備える機能便座として構成されている。便座シート１は、洋式の便器１０の便座１１に装着して使用される。販売時に基材４には離型シートで被覆されており、使用時に被覆されている離型シートを外して、基材４を便器１０の便座１１の座部に装着する。
【００２８】
便座シート１の湾曲形状は、便座１１の座部、即ち、着座する使用者の身体に接触する左右の湾曲部分に対応しており、対象形状を有する２つの便座シート１、１を、厚い部分を後側として左右の座部を夫々覆うように装着して使用する。便座シート１は、表面材３が上向きにして、クッション体２の厚い部分が便座１１の座部後側に配置して載置する。このように装着される便座シート１は、便座１１の形状（Ｏ形、Ｕ形等）の如何に拘わらず、また機能ボックス１２の有無及び位置の如何に拘わらず適用可能である。
【００２９】
図７は便座シート１の使用状態の説明図である。便座シート１は、便座１１への装着時に後側の部分が他の部分より厚く、図７に示すように、この厚い部分が使用者の臀部に当る。図７の矢印で示す厚い部分から与える大きい反発力が使用者の臀部に加わる。この反発力は、使用者が便座からの立ち上がりを補助する作用をなし、使用者は容易に立ち上がることができる。
【００３０】
また、便座シート１は、前述の如く、クッション体２自体の弾性により良好なクッション性を備えるから、便座１１に着座する使用者の身体的負担を和らげることができ、特に、高齢者に有用である。
【００３１】
また、クッション体２は表面材３側の一面が凹凸状に形成されており、使用者にはこの凹凸が当たるから、便座シート１は着座時の触感が良好である。
【００３２】
また、表面材３の外面には、起毛層が形成されており、着座する使用者に良好な肌触りを体感させることができる。
【００３３】
また、基材４は、前記便座への装着時に前記座部に接触する外面に粘着層４０が形成されている。粘着層４０は、便座１１の座部に置いて軽く押しつけるだけで装着できる。また、汚れた場合、座部から剥がして繰り返し洗濯して使用することができる。装着が簡単、便利な便座シート１ができる。
【００３４】
更に、便座シート１は、表面材３と基材４の周縁部がホットメルト加工により固着されている。よって、便座シート１は、便座シート１の周縁部が均一に固着される。
【００３５】
実施の形態２
図８は実施の形態２に係る便座シートの図２に示すＶ−Ｖ線による断面拡大図である。以下の説明においては、実施の形態１と同じ部分は説明を省略する。
実施の形態２において、クッション体２２は、便座への装着時における薄い前側部分から厚い後側部分にかけて徐々に傾斜し厚くなっていく。例えば、薄い前側部分を15mmとし、厚い後側部分を30mmとし、前後方向の長さを40mmとして、薄い前側部分から厚い後側部分へ向かうに従って徐々に上昇傾斜していく。クッション体２２は、表面材３３側（上側）の一面が凹凸状に形成されている。凹凸状に形成される一面が連続的ウェーブ状のように形成されている。該一面は平らでも良い。
便座シート２１はクッション体２２と表面材３３とを備える。表面材２３はクッション体２２の表面を覆う。表面材２３の厚みは約2mmである。従って、便座シート２１は、外形寸法が薄い前側部分を17mmとし、厚い後側部分を32mmとし、前後方向の長さを40mmとして、薄い前側部分から厚い後側部分にかけて徐々に上昇傾斜していく。
【００３６】
便座シート２１を用いて、起居動作検証実験を行う。起居動作検証実験は前後方向移動速度測定実験と左右方向振幅測定実験を実施する。
起居動作検証実験の前後方向移動速度測定実験は便座シート２１に座る被験者が便座シート２１から立ち上がるときの前後方向移動速度を測定する。実験に使用する機器は株式会社テック技販が販売するリアルタイム重心動揺計測装置BASYS（以下、装置Iという）である。実験方法としては、被験者が便座シート２１に座り、該被験者の足を装置Iのプラットフォームに乗せて、被験者が便座シート２１からプラットフォームに立つ。そのとき、装置Iが被験者の前後方向移動速度の測定値を表示する。同様な方法を用いて、同じ実験を繰り返し３回行う。装置Iに表示された３回の前後方向移動速度の測定値を平均し、前後方向移動速度の平均測定値を求める。求められた便座シート２１の前後方向移動速度の平均測定値を下記の表１に示す。実験する被験者は性別、年齢を問わずに行う。被験者の性別、年齢については、表１に示す被験者の順番に具体的に説明する。１番目は男性、61歳である。２番目は男性、40歳である。３番目は男性、71歳である。４番目は女性、28歳である。５番目は女性、28歳である。６番目は女性、59歳である。７番目は女性、43歳である。８番目は女性、70歳である。９番目は女性、85歳である。１０番目は男性、66歳である。
また、比較例１便座シート及び比較例２便座シートを用いて、便座シート２１と同様な実験機器と方法を使用し、同じ起居動作検証実験の前後方向移動速度の測定を行う。
比較例１便座シートは厚みが3mmで、長さが40mmで、表面形状が平坦である。
比較例２便座シートは厚みが2.5mmで、長さが41.5mmで、表面形状が平坦である。
表１による、便座シート２１の前後方向移動速度平均測定値［cm/s］は、比較例１及び比較例２の前後方向移動速度平均測定値より大きい。従って、便座シート２１からの立ち上がり速度が比較例１及び比較例２の便座シートより速く、便座シート２１から立ち上がりが比較例１及び比較例２の便座シートよりも容易になると言える。
【表１】
2020080997.tif 000003
【００３７】
また、起居動作検証実験の左右方向振幅測定実験は、起居動作検証実験の前後方向移動速度測定実験と同じ実験機器及び方法を使用して行う。左右方向振幅測定実験に使用する機器は株式会社テック技販が販売するリアルタイム重心動揺計測装置BASYS（以下、装置Iという）である。実験方法としては、被験者が便座シート２１に座り、該被験者の足を装置Iのプラットフォームに乗せて、被験者が便座シート２１から立つ。そのとき、装置Iが被験者の左右方向振幅の測定値を表示する。同様な方法を用いて、同じ実験が３回を繰り返し行う。装置Iに表示された３回の左右方向振幅の測定値を平均し、左右方向振幅の平均測定値を求める。求められた便座シート２１の左右方向振幅の平均測定値を下記の表２に示す。
また、比較例１便座シート及び比較例２便座シートを用いて、便座シート２１と同様な実験機器と方法を使用し、同じ起居動作検証実験の左右方向振幅の測定を行う。比較例１及び比較例２の便座シートの左右方向振幅の平均測定値を下記の表２に示す。
表２による、便座シート２１の左右方向振幅平均測定値［cm］は、比較例１及び比較例２の便座シートの左右方向振幅平均測定値より小さい。従って、便座シート２１からの立ち上がり時における横揺れが比較例１及び比較例２の便座シートより小さく、便座シート２１から立ち上がりが比較例１及び比較例２の便座シートより安定すると言える。
【表２】
2020080997.tif 000004
【００３８】
図９は実施の形態２に係る便座シートと比較例１便座シートの体圧分布図である。図９Aは便座シート２１の体圧分布図であり、図９Bは比較例１便座シートの体圧分布図である。
体圧分布測定実験は被験者が便座シートに座り、該被験者の臀部と便座シートとの間に圧力分布測定装置のセンサマットを置き、該被験者の体重が便座シートにかかる体圧分布を測定する。測定した体圧分布を体圧分布図により示す。体圧分布測定実験用装置はタカノ株式会社が販売する圧力分布測定装置FSAである。実験は２種類の便座シート（便座シート２１と比較例１便座シート）を使用し、便座シート２１の体圧分布と比較例１便座シートの体圧分布を測定する。上述２種類の実験では被験者が同一人物であり、該被験者の体重が43キロである。便座シートは弓形の湾曲形状を呈する便座に対応し装着する。
便座シート２１は弓形の湾曲形状をなし、弓形の湾曲形状が後側最大幅9.5mmから中央部9mmを経て徐々に前側に狭くなっていく。弓形の湾曲形状の便座シート２１は弓形の湾曲形状の便座に対応し装着される。被験者は便座シート２１に座り、該被験者の臀部が便座シート２１に接触する。被験者の臀部と便座シート２１の間には圧力分布測定装置のセンサマットを置き、センサマットにより体圧分布を測定する。便座シート２１の体圧分布は図９Aの体圧分布図により表される。
また、同様な実験装置及び方法を使用し、比較例１便座シートを用いて、比較例１便座シートの体圧分布を測定する。比較例１の体圧分布は図９Bの体圧分布図により表される。図９は圧力の単位をキロパスカル（kPa）で表示し、センサーによる圧力の分布は6種類の標記A〜Fにより表示する。標記Aを最小とし、標記Fを最大として、圧力の大きさを表示する。図９AはA〜Eの5種類の標記で体圧分布を表示し、図９BはA〜Fの6種類の標記で体圧分布を表示する。
図９Aと図９Bとの比較からわかるように、図９Aに表示される便座シート２１にかかる体圧は図９Bに表示される比較例１便座シートにかかる体圧より小さい。従って、便座シート２１にかかる体圧は比較例１便座シートにかかる体圧より小さい。便座シート２１にかかる体圧はクッション体２２の材質、形状により吸収、分散される。被験者への負担が軽減される。
【００３９】
また、自律神経機能変化の測定実験を行う。自律神経は常に交感神経と副交感神経のバランスを変化させながら、環境ストレスに対応する。環境ストレスに適切に対応できる機能は重要である。機能が低下すると、血圧が必要以上に増加する。自律神経機能変化の測定実験は自律神経反応力、副交感神経反応力及び最高血圧と最低血圧の変化を測定する。実験は被験者が便座シート２１に着座安静時、起立時直ぐ、起立安静時及び着座時直ぐのそれぞれ値を測定する。自律神経反応力の変化値実験は、着座安静時から起立時直ぐとの間の自律神経反応力の変化値を測定する。副交感神経反応力の変化値実験は、起立安静時から着座時直ぐとの間の副交感神経反応力の変化値を測定する。血圧の変化値実験では最高血圧の変化値と最低血圧の変化値を測定する。最高血圧の変化値実験は、起立安静時から着座時直ぐとの間の最高血圧の変化値を測定する。最低血圧の変化値実験は、着座安静時から起立時直ぐとの間の最低血圧の変化値を測定する。実験用装置は株式会社クロスウェルが販売する自律神経機能計測機器「きりつ名人」である。機器「きりつ名人」は被験者の血圧及び脈拍などを測定する。実験する被験者は起居動作検証実験の被験者と同じ人物である。
また、比較例１便座シート及び比較例２便座シートを用いて、便座シート２１と同様な実験機器と方法を使用し、同じ自律神経反応力の変化値、副交感神経反応力の変化値及び最高血圧と最低血圧の変化値を測定する。
図１０は実施の形態２に係る便座シートと比較例１、２便座シートの自律神経反応力変化値比較図である。自律神経反応力の変化値実験は便座シートに着座安静時から起立時直ぐとの間の自律神経反応力の変化値を測定する。下記の説明に示される図１０〜１３ではAを比較例１とし、Bを便座シート２１とし、Cを比較例２とする。比較例１、便座シート２１、比較例２の自律神経反応力の変化値は図１０のように表される。便座シート２１の自律神経反応力の変化値は比較例１、比較例２より小さい、即ち便座シート２１の自律神経反応力の変化値は小さい。自律神経反応力の変化値が小さいのは、余計な力が入らずに楽に立ち上がることができると言える。自律神経反応力は例えば血圧又は脈拍などに基づいて求められる。
図１１は実施の形態２に係る便座シートと比較例１、２便座シートの副交感神経反応力の変化値比較図である。副交感神経反応力の変化値実験は便座シートに起立安静時から着座時直ぐとの間の副交感神経反応力の変化値を測定する。比較例１、便座シート２１、比較例２の副交感神経反応力の変化値は図１１のように表される。便座シート２１の副交感神経反応力の変化値は比較例１、比較例２より大きい、即ち便座シート２１の副交感神経反応力の変化値が大きい。副交感神経反応力の変化値が大きいのは、立ち座りにストレスを感じずに行えて、着座時にリラックスできると言える。副交感神経反応力は例えば血圧又は脈拍などに基づいて求められる。
図１２は実施の形態２に係る便座シートと比較例１、２便座シートの最高血圧の変化値比較図である。最高血圧の変化値実験は、便座シートに起立安静時から着座時直ぐとの間の最高血圧の変化値を測定する。比較例１、便座シート２１、比較例２の最高血圧の変化値は図１２のように表される。便座シート２１の最高血圧の変化値は比較例１、比較例２より大きく、即ち最高血圧が大きく下がる。副交感神経が働いてリラックスした状態で座ると言える。
図１３は実施の形態２に係る便座シートと比較例１、２便座シートの最低血圧の変化値比較図である。最低血圧の変化値実験は着座安静時から起立時直ぐとの間の最低血圧の変化値を測定する。比較例１、便座シート２１、比較例２の最低血圧の変化値は図１３のように表される。便座シート２１の最低血圧の変化値は比較例１、比較例２より小さい、即ち便座シート２１の最低血圧の変化値が小さい。最低血圧の変化値が小さいと言うのは、起立時のめまいやふらつきが少ない傾向になると言える。
【００４０】
故に、便座シート２１は便座に装着時に後側の厚い部分が他の部分より大きいな弾性力を生じることで、被験者の臀部に大きな反発力を与える。被験者は便座からの立ち上がりが容易になり、安定に立ち上がることができる。また、便座シート２１はクッション体２２の材質、形状により便座シート２１にかかる体圧が吸収、分散され、被験者への負担を軽減できる。余計な力が入らずに楽に立ち上がることができ、リラックス状態で着座することができ、起立時のめまいやふらつきが少ない傾向になる効果がある。
【００４１】
今回開示した実施の形態は、全ての点で例示であって、制限的なものではないと考えられるべきである。各実施の形態にて記載されている技術的特徴は互いに組み合わせることができ、本発明の範囲は、特許請求の範囲内での全ての変更及び特許請求の範囲と均等の範囲が含まれることが意図される。
【符号の説明】
【００４２】
１、２１  便座シート
２、２２  クッション体
３、２３  表面材
４  基材
４０  粘着層
１０  便器
１１  便座
１２  機能ボックス
【図１】
2020080997.tif 000005
【図２】
2020080997.tif 000006
【図３】
2020080997.tif 000007
【図４】
2020080997.tif 000008
【図５】
2020080997.tif 000009
【図６】
2020080997.tif 000010
【図７】
2020080997.tif 000011
【図８】
2020080997.tif 000012
【図９】
2020080997.tif 000013
【図１０】
2020080997.tif 000014
【図１１】
2020080997.tif 000015
【図１２】
2020080997.tif 000016
【図１３】
2020080997.tif 000017
【手続補正書】
【提出日】令和1年10月29日(2019.10.29)
【手続補正１】
【補正対象書類名】明細書
【補正対象項目名】０００７
【補正方法】変更
【補正の内容】
【０００７】
本開示の実施形態に係る便座シートは、便座の座部に覆うように装着され、前記座部に対応する湾曲形状を有し、クッション体と、表面材と、基材とを備える便座シートにおいて、前記クッション体は、前記便座に着座する使用者の身体に接触する部分のうち、装着時に後側となる部分が他の部分より厚くしてある。
【手続補正２】
【補正対象書類名】明細書
【補正対象項目名】０００９
【補正方法】変更
【補正の内容】
【０００９】
また、前記クッション体は、前側となる部分から後側となる部分へ向かうに従って徐々に上昇傾斜していく。
【手続補正３】
【補正対象書類名】明細書
【補正対象項目名】００１０
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
便座の座部に覆うように装着され、前記座部に対応する湾曲形状を有し、クッション体と、表面材と、基材とを備える便座シートにおいて、
前記クッション体は、前記便座に着座する使用者の身体に接触する部分のうち、装着時に後側となる部分が他の部分より厚くしてある便座シート。
【請求項２】
前記クッション体は、前側となる部分から後側となる部分へ向かうに従って徐々に上昇傾斜していく請求項１に記載の便座シート。
【請求項３】
前記クッション体は、軟質ポリウレタンフォーム材料製である請求項１または２に記載の便座シート。
【請求項４】
前記クッション体は、前記便座への装着時に上向きとなる一面が凹凸状に形成されている請求項１から３のいずれか一つに記載の便座シート。
【請求項５】
前記表面材は、前記便座への装着時に上向きとなる外面に起毛層が形成された不織布である請求項１から４のいずれか一つに記載の便座シート。
【請求項６】
前記便座への装着時に前記座部に接触する前記基材の外面には、粘着層が形成されている請求項１から５のいずれか一つに記載の便座シート。